(57)【特許請求の範囲】
【請求項１】
立壁などに据え付けられ、ケース、逆止弁を有するノズルを備え、該ケース内部にタンク、供給路および、ポンプを有し、該ポンプが前記タンク内の消毒液を前記供給路を介して前記ノズルへ送り込み、該ノズルから消毒液を噴出するようにした消毒液噴出装置において、
前記供給路は、その途中に遮断弁が介在しており、
前記遮断弁は、遮断弁を境にして前記供給路のノズル側の経路内の圧力が所定圧力より低くなった場合に、前記遮断弁を境にして前記供給路のポンプ側の経路を遮断するものであることを特徴とする消毒液噴出装置。
【請求項２】
前記遮断弁は前記供給路のノズル側の経路内の圧力が所定圧力より低くなった場合に、前記ノズル側の経路内に大気を導入すると共に、前記ポンプ側の経路を遮断してなることを特徴とする請求項１に記載の消毒液噴出装置。
【請求項３】
前記遮断弁は、前記タンク内の消毒液の液面より上方に位置させてなることを特徴とする請求項１または２に記載の消毒液噴出装置。
【請求項４】
前記ノズル側の経路は、前記ポンプ側の経路よりその路内断面積が小さいことを特徴とする請求項２または３に記載の消毒液噴出装置。
【請求項５】
前記ポンプは、ケーシング、モータケース、隔壁部、羽根車および、駆動マグネットを有し、
前記ケーシングは、前記タンクおよび前記供給路に通じていて、前記羽根車を内蔵しており、
前記羽根車は磁性を有しており、
前記モータケースは、前記羽根車を連動させる前記駆動マグネットを内蔵しており、
前記隔壁部は、前記ケーシング内部とモータケース内部とを隔離していることを特徴とする請求項１に記載の消毒液噴出装置。
【請求項６】
前記ノズルは、前記ケースの下部に配されており、
前記タンクは、前記ケースの上部に配されており、
前記ポンプは、前記タンクの下方に配されてなることを特徴とする請求項１に記載の消毒液噴出装置。
【発明の詳細な説明】
【０００１】
【発明の属する技術分野】
本発明は、立壁などに据え付けられ、ケース、ノズルを備え、該ケース内部にタンク、供給路および、ポンプを有し、該ポンプが前記タンク内の消毒液を前記供給路に通して前記ノズルへ送り込み、該ノズルから消毒液を噴出するようにした消毒液噴出装置に関する。
【０００２】
【従来の技術】
従来、この種の消毒液噴出装置は、食品工場、レストラン、病院などの化粧室の壁面に据え付けられており、従業員や一般客などが使用するもので、ポンプが作動すると、タンク内の消毒液がノズルから噴出するように構成されている。タンク内の消毒液は、ポンプの吸入管を通ってケーシング内に入り、ケーシング内から吐出管、チューブである供給路を通ってノズルに送り込まれる。
【０００３】
例えば、３秒間に３ｃｃの消毒液が噴出されると、ポンプが作動停止し、チューブ内の圧力が下がると、ノズル内の逆止弁が消毒液流出口を閉じて供給路を遮断するようになっている。
【０００４】
【発明が解決しようとする課題】
しかしながら、このような従来の消毒液噴出装置では、消毒液と共に塵などの異物がノズル内に送り込まれ、異物が消毒液流出口の口縁に付着して、逆止弁が消毒液流出口を閉じる際に、異物が消毒液流出口の口縁と逆止弁との間に挟まって、消毒液流出口を全閉できないで、消毒液がノズルから流出し続け、タンク内の消毒液が全て流出してしまう場合が発生する。
【０００５】
異物を除去するためのノズルの分解掃除作業あるいは、タンク内への消毒液の注入作業が頻繁になって使い勝手が良くなく、また消毒液の消費量が嵩み、ランニングコストが高くなるという問題点があった。
【０００６】
本発明は、このような従来の技術が有する問題点に着目してなされたもので、供給路のノズル側の経路内の圧力が所定圧力より低くなった場合には、供給路のポンプ側の経路を遮断して、消毒液の無駄な流出をなくし、使い勝手を良くし、また、ランニングコストを低減することができるようにした消毒液噴出装置を提供することを目的としている。
【０００７】
【課題を解決するための手段】
かかる目的を達成するための本発明の要旨とするところは、次の各項の発明に存する。
［１］立壁などに据え付けられ、ケース（１０）、逆止弁（２５）を有するノズル（２０）を備え、該ケース（１０）内部にタンク（３０）、供給路（４０）および、ポンプ（５０）を有し、該ポンプ（５０）が前記タンク（３０）内の消毒液を前記供給路（４０）を介して前記ノズル（２０）へ送り込み、該ノズル（２０）から消毒液を噴出するようにした消毒液噴出装置において、
前記供給路（４０）は、その途中に遮断弁（４５）が介在しており、
前記遮断弁（４５）は、遮断弁（４５）を境にして前記供給路（４０）のノズル（２０）側の経路（４３）内の圧力が所定圧力より低くなった場合に、前記遮断弁（４５）を境にして前記供給路（４０）のポンプ側の経路（４２）を遮断するものであることを特徴とする消毒液噴出装置。
【０００８】
［２］前記遮断弁（４５）は前記供給路（４０）のノズル（２０）側の経路（４３）の圧力が所定圧力より低くなった場合に、前記ノズル（２０）側の経路（４３）内に大気を導入すると共に、前記ポンプ（５０）側の経路（４２）を遮断してなることを特徴とする［１］項に記載の消毒液噴出装置。
【０００９】
［３］前記遮断弁（４５）は、前記タンク（３０）内の消毒液の液面より上方に位置させてなることを特徴とする［１］または［２］項に記載の消毒液噴出装置。
【００１１】
［４］前記ノズル側の経路（４３）は、前記ポンプ側の経路（４２）よりその路内断面積が小さいことを特徴とする［２］または［３］項に記載の消毒液噴出装置。
【００１２】
［５］前記ポンプ（５０）は、ケーシング（５２）、モータケース（５８）、隔壁部（５９）、羽根車（５３）および、駆動マグネット（５４）を有し、
前記ケーシング（５２）は、前記タンク（３０）および前記供給路（４０）に通じていて、前記羽根車（５３）を内蔵しており、
前記羽根車（５３）は磁性を有しており、
前記モータケース（５８）は、前記羽根車（５３）を連動させる前記駆動マグネット（５４）を内蔵しており、
前記隔壁部（５９）は、前記ケーシング（５２）内部とモータケース（５８）内部とを隔離していることを特徴とする［１］項に記載の消毒液噴出装置。
【００１３】
［６］前記ノズル（２０）は、前記ケース（１０）の下部に配されており、
前記タンク（３０）は、前記ケース（１０）の上部に配されており、
前記ポンプ（５０）は、前記タンク（３０）の下方に配されてなることを特徴とする［１］項に記載の消毒液噴出装置。
【００１４】
次に、前記各項に記載された発明の作用について説明する。
本発明の一つの構成では、消毒液噴出装置は例えば化粧室の壁面に据え付けられる。
このように壁面に据え付けられた消毒液噴出装置は、ポンプ（５０）に給電されると、ポンプ（５０）が作動して、タンク（３０）内の消毒液が供給路（４０）を通ってノズル（２０）へ送り込まれ、ノズル（２０）から下方に噴出される。このとき、供給路（４０）の途中に介在する遮断弁（４５）は、供給路（４０）を開いた状態にある。
【００１５】
ポンプ（５０）が作動停止すると、遮断弁（４５）を境にして供給路（４０）のノズル（２０）側の経路（４３）内の圧力が所定圧力より低くなって、遮断弁（４５）は、遮断弁（４５）を境にして供給路（４０）のポンプ側の経路（４２）を遮断する。
【００１６】
逆止弁（２５）が消毒液流出口を閉じる際に、塵などの異物が逆止弁（２５）と消毒液流出口の口縁との間に挟まり、消毒液流出口が完全に閉じない場合に、遮断弁（４５）を境にして供給路（４０）のノズル（２０）側の経路（４３）内の消毒液がノズル（２０）から流出した際にも、遮断弁（４５）が供給路（４０）のポンプ側の経路（４２）を遮断しているために、ポンプ（５０）側の消毒液の流出を阻止することができ、消毒液の流出を少量に抑えることができる。
【００１７】
また、本発明の別の構成では、ポンプ（５０）に給電されると、ポンプ（５０）が作動して、タンク（３０）内の消毒液が供給路（４０）のポンプ（５０）側の経路（４２）、遮断弁（４５）および、ノズル（２０）側の経路（４３）を通ってノズル（２０）へ送り込まれ、ノズル（２０）から下方に噴出される。このとき、遮断弁（４５）は、供給路（４０）を開いた状態にある。ポンプ（５０）が作動停止すると、ノズル（２０）側の経路（４３）内の圧力が所定圧力より低くなって、遮断弁（４５）がポンプ（５０）側の経路（４２）を遮断する。
【００１８】
逆止弁（２５）が消毒液流出口を閉じる際に、塵などの異物が逆止弁（２５）と消毒液流出口の口縁との間に挟まり、消毒液流出口が完全に閉じない場合に、ノズル（２０）側の経路（４３）内の消毒液がノズル（２０）から流出するおそれがあるが、ノズル（２０）側の経路（４３）内に大気を導入し、かつ、遮断弁（４５）がポンプ（５０）側の経路（４２）を遮断するために、ポンプ（５０）側の消毒液の流出を阻止することができ、消毒液の流出を少量に抑えることができる。
【００１９】
さらに、本発明の別の構成では、遮断弁（４５）がタンク（３０）内の消毒液の液面より上方に位置しているので、仮に、遮断弁（４５）がポンプ側の経路（４２）を十分に遮断していなくても、例えば、ノズル（２０）側の経路（４３）内に大気を導入すれば、遮断弁（４５）内の消毒液の液面がタンク（３０）内の消毒液の液面まで下がって、遮断弁（４５）内の消毒液がポンプ（５０）側の経路へ戻るようになり、消毒液がポンプ（５０）側の経路から遮断弁（４５）を通過して、ノズル（２０）側の経路（４３）に流出することがなく、ポンプ（５０）側の消毒液の流出を完全に阻止することができる。
【００２０】
さらに、本発明の別の構成では、ポンプ（５０）が作動停止すると、遮断弁（４５）を境にして供給路（４０）のノズル（２０）側の経路（４３）内の圧力が所定圧力より低くなって、ノズル（２０）内の逆止弁（２５）が消毒液流出口を閉じ、それにより、ノズル（２０）側の経路（４３）内の消毒液および、供給路（４０）のポンプ側の経路（４２）内の消毒液の流出を抑えることができる。
【００２１】
さらに、本発明の別の構成では、ノズル（２０）内の逆止弁（２５）が消毒液流出口を完全に閉じない場合に、ノズル（２０）側の経路（４３）内の消毒液がノズル（２０）から流出するが、ノズル（２０）側の経路（４３）は、ポンプ（５０）側の経路（４２）よりその路内断面積が小さいことから、消毒液の流出を少量に抑えることができる。
【００２２】
さらに、本発明の別の構成では、ポンプ（５０）のモータが作動して、駆動マグネット（５４）がケーシング（５２）内部の羽根車（５３）を連動させる。羽根車（５３）が連動すると、消毒液は、タンク（３０）からケーシング（５２）内部に入り込み、ケーシング（５２）内部から供給路（４０）を通ってノズル（２０）へ送り込まれ、ノズル（２０）から下方に噴出される。
このとき、消毒液は、ケーシング（５２）内部を通過するが、ケーシング（５２）とモータケース（５８）内部とが隔壁部（５９）で隔離されているので、電気系統と消毒液の流路とが完全に分離され、水密性が高まり、電気系統のショートなどを防止することができる。
【００２３】
さらに、本発明の別の構成では、ケース（１０）の上部に配されるタンク（３０）に代表される水路系統と、ケース（１０）の下部に配されるポンプ（５０）に代表される電気系統とを区分けすることができ、電気系統への消毒液の進入をし難い構成にして、消毒液の進入に起因する電気系統のショートを防止することができる。
【００２４】
【発明の実施の形態】
以下、図面に基づき本発明の一実施の形態を説明する。
各図は本発明の一実施の形態を示している。
本実施の形態に係る消毒液噴出装置は、食品工場、レストラン、病院、その他の建物の化粧室の立壁などに据え付けられるもので、従業員や一般客が使用するものである。消毒液噴出装置の下方には一般的に洗面台が配置されている。
【００２５】
図１〜図３に示すように、消毒液噴出装置は、ケース１０、ノズル２０を備え、ケース１０内部にはタンク３０、供給路４０および、ポンプ５０が設けられている。ポンプ５０がタンク３０内の消毒液を供給路４０に通してノズル２０へ送り込み、ノズル２０から消毒液を下方に噴出するようになっている。
【００２６】
ケース１０は、正面ケース１１と背面ケース１２とが前後から合わせられ、箱形状に形成されて成る。正面ケース１１には消毒液水位確認窓２１０が開設されている。消毒液水位確認窓２１０は、透視部材２１１で塞がれている。ケース１０の上部開口はカバー１３で塞がれている。
【００２７】
正面ケース１１と背面ケース１２との間には仕切部材７０が介装され、仕切部材７０により、ケース１０の内部の収容空間が上下に隔離されている。仕切部材７０の外周縁は、正面ケース１１あるいは背面ケース１２の各内面に沿う周縁フランジ７６が形成されている。仕切部材７０の周縁フランジ７６と正面ケース１１あるいは背面ケース１２の各内面との間の隙間は、シール部材７７によって塞がれている。仕切部材７０の周縁フランジ７６は、正面ケース１１および、背面ケース１２にビス止めされている。
【００２８】
上側の収容空間１０ａには、タンク３０が収容され、下側の収容空間１０ｂには、ポンプ５０、配電盤６１などの電気系統などが収容されている。配電盤６１は、背面ケース１２の内壁面に突設されたボスにねじ止めされている。
【００２９】
タンク３０の上面には注入口３３が開設されている。注入口３３の口縁部にはストレーナ１３０が嵌着され、ストレーナ１３０と注入口３３を塞ぐためのキャップ部１３５とが一体的に形成されている。ストレーナ１３０は注入口３３の口外周に外嵌する外筒部１３６、注入口３３内に内嵌するメッシュ部１３７および、メッシュ部１３７に消毒液を導くための受皿部１３８を有している。
【００３０】
図２に示すように、仕切部材７０には流入口７１および、下孔７２が穿設されている。仕切部材７０の上面は、流入口７１に向かって下方へ傾斜していて、流れ易くなっている。仕切部材７０の流入口７１には、排出路１８の上端口である一端が連続している。排出路１８はその通路が下方に延びていて、排出路１８の下端口である他端が、背面ケース１２の背面に開設された流出口１８ａに連続している。
【００３１】
下孔７２は、タンク３０の取出管３２に対応して開設されている。下孔７２の孔周縁には、周フランジ７３が設けられている。周フランジ７３は、タンク３０の下面に向かって突設している。周フランジ７３の上端縁とタンク３０の下面との間の隙間はシール部材７５によって塞がれている。
【００３２】
図１〜図３に示すように、ケース１０の内部には管形状の案内通路１１０が形成されている。案内通路１１０は、背面ケース１２に一体的に形成されていて、電源用コード６２をケース１０の内部に引き込むための通路である。案内通路１１０は、その両端に引込口１１１および引出口１１２をそれぞれ有している。案内通路１１０の引込口１１１は、背面ケース１２の背面に開設されていて、電源用コード６２のブッシュ６２ｂが嵌着されている。また、案内通路１１０の引出口１１２は、上方、すなわち、上方位置に配された配電盤６１の方向に開設されている。
【００３３】
案内通路１１０は、引込口１１１から引込口１１１と引出口１１２との間の中間部までの引込側部分１１３および、その中間部から引出口１１２までの引出側部分１１４から成り、引込側部分１１３の管中心軸が、ケース１０の内部に向かって略水平方向に延びており、引出側部分１１４の管中心軸が、ケース１０の内部に向かって斜め上方に延びている。案内通路１１０の外周および、その近傍には、ボス１１５，１１６が一対設けられている。一対のボス１１５，１１６にはコネクタ６６が固設されている。
【００３４】
背面ケース１２の下面部であるケース１０の下面奥部１４には収容凹部１６が形成されている。収容凹部１６は、上方に凹設されていて、電源用コード６２を折り畳んだ状態で収容可能である。下面奥部１４にはクリップ６２ａが設けられ、折り畳んだ状態の電源用コード６２を結束可能である。また、収容凹部１６の壁面にはロッカスイッチである電源スイッチ１７が取り付けられている。立壁には電源供給用手段のソケット（図示省略）が設けられ、ソケットには電力ケーブル（図示省略）が接続されている。電源供給用手段のソケットには、電源用コード６２の一端部に設けられたプラグが接続されている。電源用コード６２の他端部は、引込口１１１から案内通路１１０を通り、引出口１１２から装置内部に引き出される。引き出された電源用コード６２の他端部は、コネクタ６６に接続されている。電力が供給されるコネクタ６６には、電源スイッチを介して配電盤６１が接続されている。
【００３５】
図１に示すように、収容凹部１６の下面には下孔１６ａが設けられ、下孔１６ａは、背面ケース１２成形時には蓋部１６ｂで塞がれ、下孔１６ａの孔周縁と蓋部１６ｂの周縁とは薄肉部１６ｃで連結されている。ケース１０の内部には、蓋部１６ｂに対応してサービスコンセントである電源供給用のソケット（図示省略）が設けられている。電源供給用のソケットは、コネクタ６６に接続されている。電源供給用のソケットを使用するタイプの消毒液噴出装置においては、下孔１６ａを塞いでいる蓋部１６ｂは取り除かれ、開設された下孔１６ａを通して電源供給用のソケットに他の電気機器側のプラグ（図示省略）が差込み可能に成っている。
【００３６】
ケース１０の正面ケース１１の下面手前部１５には、ノズル２０が螺着している。ノズル２０は、背面ケース１２の下孔１５ａに挿着されていて、背面ケース１２のボス１５ｂのねじ孔に螺合するねじにより固定されている。
【００３７】
図８に示すように、ノズル２０は、ノズルヘッド２１、ジョイント管２２、回転金具２３、軸受け２４、逆止弁２５および、ばね部材２６を備えている。
ノズルヘッド２１の嵌合凹部にはジョイント管２２の下端部が嵌入していて、嵌合凹部の内壁に形成された雌ねじにジョイント管２２の下端部に形成された雄ねじが螺着している。ノズルヘッド２１の嵌合凹部の入口部はジョイント管２２が嵌入し易いようテーパに形成されている。ジョイント管２２の上端部には下り経路４３が連結されている。ノズルヘッド２１には軸受け２４が嵌めこまれていて、軸受け２４が回転金具２３の上端部を回転可能に支持している。回転金具２３の下端部の外周には螺旋状溝が形成されている。逆止弁２５は、ジョイント管２２の消毒液流出口２２ａを塞ぐ方向にばね部材２６により付勢されている。
【００３８】
下面手前部１５には、ノズル２０の奥側に窓ガラス６４が嵌め込まれている。ケース１０の内部には、窓ガラス６４に対応して赤外線センサ６５が設けられている。同じく、赤外線センサ６５は、ボス１５ｃのねじ孔に螺合するねじにより固定されている。ポンプ５０のモータの電源端子および、赤外線センサ６５は、配線材で配電盤６１に接続されている。
【００３９】
タンク３０の取出管３２は、連結管４１を介してポンプ５０の吸込管５５に接続され、ポンプ５０の吐出管５６は、供給路４０の大径チューブである上り経路４２を介してバキュームブレーカである遮断弁４５に接続され、遮断弁４５は、供給路４０の小径チューブである下り経路４３を介してノズル２０に接続されている。
【００４０】
図４および図５に示すように、ポンプ５０は、隔離部５９を有し、隔離部５９は、ケーシング５２とモータケース５８とを隔離して、モータケース５８の水密性を向上している。ケーシング５２内には羽根車５３が設けられ、羽根車５３は、ケーシング５２の吸込管５５を通ってケーシング５２内に流入した消毒液を吐出管５６から供給路４０の上り経路４２へ送り出している。羽根車５３は、マグネットが嵌め込まれている。モータケース５８内には羽根車５３を連動させるための駆動マグネット５４が収容されている。駆動マグネット５４は、モータ５１の出力軸に固着されている。
【００４１】
図１に示すように、ポンプ５０を支持するために支持ブラケット５７が設けられている。支持ブラケット５７は、環状部５７ａおよび延設部５７ｂから成り、環状部５７ａがポンプ５０のモータ５１に嵌着していて、延設部５７ｂの先端に形成された被係合部５７ｃが背面ケース１２の嵌合溝１２ｃに固く嵌合している。
【００４２】
図６および図７に示すように、遮断弁４５は、弁本体４６、垂直連結管４７ａ、水平連結管４７ｂ、フロート弁４８および、弁蓋４９を備えている。遮断弁４５は、供給路４０の経路中で最も高く、かつ、タンク２０内の消毒液の液面より高い位置に配され、ケース１０側にビス止めされている。
【００４３】
弁本体４６の内部には弁室が形成されている。弁本体４６の弁室には垂直連結管４７ａの上端口および、水平連結管４７ｂの基端口がそれぞれ連通している。垂直連結管４７ａの下端部には上り経路４２が連結され、水平連結管４７ｂの先端部には下り経路４３が連結されている。
【００４４】
弁蓋４９は、弁本体４６の弁室を上方から塞いでいる。弁室の天井面となる弁蓋４９の下面部にはガイド孔４９ａが凹設されている。ガイド孔４９ａの孔奥壁には、外気に連通する小孔４９ｂが穿設されている。
【００４５】
ガイド孔４９ａにはフロート弁４８の軸部４８ａが緩めに嵌合している。ガイド孔４９ａと軸部４８ａとの嵌合関係により、フロート弁４８は、ガイド孔４９ａを閉じる一方垂直連結管４７ａの上端口を開いた開通位置と、ガイド孔４９ａを開く一方垂直連結管４７ａの上端口を塞いだ遮断位置とに昇降可能に支持されている。
【００４６】
下り経路４３内の圧力に応じて弁本体４６の弁室内の圧力が低下すると、フロート弁４８が自重で遮断位置に下降し、小孔４９ｂおよびガイド孔４９ａを通して弁本体４６の弁室内が外気に導通するとともに、上り経路４２に連結された垂直連結管４７ａの上端口を塞いで、ポンプ５０側の消毒液がノズル２０側へ流出するのを阻止するものである。
【００４７】
前述するように構成された消毒液噴出装置において、ノズル２０の下方位置に手を差し出すと、赤外線センサ６５が感知して、電源用コード６２および配電盤６１を通ってポンプ５０のモータ５１に給電される。ポンプ５０のモータ５１が回転すると、ケーシング５２内の羽根車５３が回転し、タンク３０内の消毒液が取出管３２から連結管４１および吸込管５５を通ってポンプ５０のケーシング５２内に送り込まれ、さらに、ポンプ５０の吐出管５６から上り経路４２〜遮断弁４５〜下り経路４３を通ってノズル２０へ送り込まれ、送り込まれた消毒液は、ノズル２０から下方に噴出され、手に降りかかる。モータ５１が回転してから、所定時間例えば３秒経過すると、モータ５１が停止し、ノズル２０からの消毒液の噴出も停止する。
【００４８】
逆止弁２５が消毒液流出口２２ａを閉じる際に、塵などの異物が逆止弁２５と消毒液流出口２２ａの口縁との間に挟まり、消毒液流出口２２ａが完全に閉じない場合に、下り経路４３内の消毒液がノズルから流出するが、遮断弁４５が遮断位置に下降し、垂直連結管４７ａの上端口を閉じ、上り経路４２を遮断しているために、ポンプ５０側の消毒液の下り経路４３側への流出を阻止することができ、消毒液の流出を少量に抑えることができる。
【００４９】
また、遮断弁４５がタンク３０内の消毒液の液面より上方に位置していて、かつ、遮断弁４５内の弁室がガイド孔４９ａおよび小孔４９ｂを通して外気と導通し、弁室の圧力が外気圧と等しくなるので、仮に、遮断弁４５が垂直連結管４７ａの上端口を十分に閉じていなくても、上り経路４２側の消毒液が遮断弁４５を通過して、下り経路４３に流出することがなく、ポンプ５０側の消毒液の流出を完全に阻止することができる。
【００５０】
ポンプ５０が作動停止すると、下り経路４３内の圧力が所定圧力より低くなって、ノズル２０内の逆止弁２５が消毒液流出口２２ａを閉じ、逆止弁２５により、下り経路４３側の消毒液の流出が阻止される。
【００５１】
仮に、ノズル２０内に進入した異物によって、逆止弁２５が消毒液流出口２２ａを十分に閉じないで、消毒液流出口２２ａから消毒液が漏れた場合であっても、ポンプ５０側の消毒液の流出は完全に阻止されていることから、下り経路４３内の消毒液のみがノズル２０から流出し、下り経路４３は、上り経路４２よりその路内断面積が小さいことから、消毒液の流出を少量に抑えることができる。
【００５２】
ポンプ５０のモータが作動して、タンク３０内の消毒液がポンプ５０から供給路４０へ送り込まれるとき、消毒液は、タンク３０の取出管３２〜連結管４１〜ポンプ５０の吸込管５５〜ケーシング５２内部に入り込み、ポンプ５０の吐出管５６から供給路４０へ送られるが、ケーシング５２とモータケース５８内部とが隔壁部５９で隔離されているので、電気系統と消毒液の流路とが完全に分離され、水密性が高まり、電気系統のショートなどを防止することができる。
【００５３】
なお、前記実施形態では、上り経路４２と下り経路４３との間に遮断弁４５を介在させ、遮断弁４５をノズル２０内の消毒液の液面より高い位置に配し、遮断位置において、遮断弁４５の弁室を外気に導通するものを示したが、これに限定するものではなく、下り経路４３内の圧力が所定圧力より低くなった際に、上り経路４２側の通路を遮断するものであれば、どのような構成のものであっても良い。
【００５４】
【発明の効果】
前述するように、本発明の一つの構成では、逆止弁が消毒液流出口を閉じる際に、塵などの異物が逆止弁と消毒液流出口の口縁との間に挟まり、消毒液流出口が完全に閉じない場合に、遮断弁を境にして供給路のノズル側の経路内の消毒液がノズルから流出しようとする際にも、遮断弁が供給路のポンプ側の経路を遮断しているので、ポンプ側の消毒液の流出を阻止することができ、消毒液の流出を少量に抑えることができる。
【００５５】
また、本発明の別の構成では、逆止弁が消毒液流出口を閉じる際に、塵などの異物が逆止弁と消毒液流出口の口縁との間に挟まり、消毒液流出口が完全に閉じない場合に、ノズル側の経路内に大気を導入するとともに、遮断弁がポンプ側の経路を遮断するので、ポンプ側の消毒液の流出を阻止することができ、消毒液の流出を少量に抑えることができる。
【００５６】
さらに、本発明の別の構成では、遮断弁がタンク内の消毒液の液面より上方に位置しているので、仮に、遮断弁がポンプ側の経路を十分に遮断していなくても、消毒液が遮断弁を通過して、ノズル側の経路に流出することがなく、ポンプ側の消毒液の流出を完全に阻止することができる。
【００５７】
さらに、本発明の別の構成では、逆止弁が消毒液流出口を閉じる際に、供給路のノズル側の経路内の圧力が所定圧力より低くなった場合に、逆止弁が供給路のノズル側の経路を遮断するため、ノズル側の経路内の消毒液および、供給路のポンプ側の経路内の消毒液の流出を阻止することができ、消毒液の流出を抑えることができる。
【００５８】
さらに、本発明の別の構成では、ノズル内の逆止弁が消毒液流出口を完全に閉じない場合に、ノズル側の経路内の消毒液がノズルから流出するが、ノズル側の経路は、ポンプ側の経路よりその路内断面積が小さいことから、消毒液の流出を少量に抑えることができる。
【００５９】
さらに、本発明の別の構成では、ポンプが作動して、タンク内の消毒液が、ケーシング内部を通過するが、ケーシングとモータケース内部とが隔壁部で隔離されているので、電気系統と消毒液の流路とが完全に分離され、水密性が高まり、電気系統のショートなどを防止することができる。
【００６０】
さらに、本発明の別の構成では、ケースの上部に配されるタンクに代表される水路系統と、ケースの下部に配されるポンプに代表される電気系統とを区分けしているので、電気系統への消毒液の進入がし難くなり、消毒液の進入に起因する電気系統のショートを防止することができる。
【図面の簡単な説明】
【図１】本発明の一実施の形態に係る消毒液噴出装置の要部断面図である。
【図２】本発明の一実施の形態に係る消毒液噴出装置の前面を除去して内部を示した正面図である。
【図３】本発明の一実施の形態に係る消毒液噴出装置のカバーを外した状態の平面図である。
【図４】本発明の一実施の形態に係るポンプの正面図である。
【図５】本発明の一実施の形態に係るポンプの要部断面図である。
【図６】本発明の一実施の形態に係る遮断弁の要部断面図である。
【図７】本発明の一実施の形態に係る遮断弁の正面図である。
【図８】本発明の一実施の形態に係るノズルの要部断面図である。
【符号の説明】
１０…ケース
１０ａ…上側の収容空間
１０ｂ…下側の収容空間
１１…正面ケース
１２…背面ケース
１４…下面奥部
１５…下面手前部
１６…収容凹部
１８…排出路
１８ａ…流出口
２０…ノズル
２１…ノズルヘッド
２２…ジョイント管
２２ａ…消毒液流出口
２３…回転金具
２４…軸受け
２５…逆止弁
２６…ばね部材
３０…タンク
３２…取出管
３３…注入口
４０…供給路
４１…連結管
４２…上り経路
４３…下り経路
４５…遮断弁
４６…弁本体
４７ａ…垂直連結管
４７ｂ…水平連結管
４８…フロート弁
４８ａ…軸部
４９…弁蓋
４９ａ…ガイド孔
４９ｂ…小孔
５０…ポンプ
５１…モータ
５２…ケーシング
５３…羽根車
５４…駆動マグネット
５５…吸込管
５６…吐出管
５８…モータケース
５９…隔離部
６１…配電盤
６２…電源用コード
６２ａ…クリップ
６４…窓ガラス
６５…赤外線センサ
７０…仕切部材
７１…流入口
７２…下孔
７３…周フランジ
７５…シール部材
１１０…案内通路
１１１…引込口
１１２…引出口
１１３…引込側部分
１１４…引出側部分
１３０…ストレーナ
１３５…キャップ部
１３６…外筒部
１３７…メッシュ部
１３８…受皿部
【図１】
0003685928.tif 000002
【図２】
0003685928.tif 000003
【図３】
0003685928.tif 000004
【図４】
0003685928.tif 000005
【図５】
0003685928.tif 000006
【図６】
0003685928.tif 000007
【図７】
0003685928.tif 000008
【図８】
0003685928.tif 000009